(57)【要約】  周波数領域の擬似ランダム／擬似ノイズ（ＰＮ）のシーケンスの完全な期間を実行可能なシステム及び方法論、ここで、ＰＮシーケンスは、予め決定された必要又は関係を満たす。その必要又は関係は、（１）実質的に低い時間領域のピーク対平均比率（ＰＡＲ）を供給すること、（２）完全な周期的な自己相関（ゼロのアウト−オブ−フェーズ相関）を供給することと、（３）任意のペアのシーケンスに対する実質的に完全な相互相関を供給することと、（４）加算のみ又は加算及び減算のみを実行することによって周波数領域におけるシーケンス相関を供給すること、を含む。まとめると、シーケンスのファミリーにおけるそのような特徴は、有効な信号送信（例えば、実質的に低い電力使用）を促進する。【選択図】  図３
2012501600.tif 000002
【特許請求の範囲】
【請求項１】
周波数領域ベースの擬似ノイズ（ＰＮ）シーケンスに基づく時間領域のＰＮシーケンスのファミリーを使用するワイヤレス通信を受信するための方法であって、
複数ｍの周波数領域の使用可能トーンで送信されたデータパケット通信信号を受信することと、
複数のメンバーが｛０，１｝から±１へマップされるバイナリの最大長のシフトレジスタ・シーケンス（ｍ−シーケンス）を具備する周波数領域のバイナリの擬似ノイズ（ＰＮ）シーケンスａi，ｉ＝０，１，…，ｍ−１をアクセスすることと、
複数ｍの周波数領域の使用可能連続トーン内の前記周波数領域のバイナリのＰＮシーケンスを循環的にシフトすることによって、総数ｋの時間領域のシーケンス・スペクトルのファミリーを生成することと、
前記時間領域のＰＮシーケンスのファミリーを用いて、前記受信されたデータパケット通信シーケンスのシーケンス・スペクトルの数列ｐ＝１,２，…，ｋを復調することと、
の動作を実行するためにコンピュータ読み出し可能記憶媒体に記憶されているコンピュータ実行可能命令を実行するプロセッサを使用することを具備し、
前記周波数領域のＰＮシーケンスのファミリーは、低い時間領域のピーク対平均（ＰＡＲ）比率を提供し、各ＰＮシーケンスは、例えばゼロのアウト・オブ・フェーズの相関のような完全な自己相関を提供し、任意のＰＮシーケンスのペアは、実質的に完全な相互相関を持ち、そして周波数領域におけるシーケンス相関は、加算のみ又は加算及び減算のみのオペレーションを用いて達成した、方法。
【請求項２】
周波数領域のＰＮシーケンス信号を使用してセル取得を実行することをさらに具備する、請求項１の方法。
【請求項３】
周波数領域のＰＮシーケンス信号を使用してセル識別を実行することをさらに具備する、請求項１の方法。
【請求項４】
周波数領域のＰＮシーケンス信号を使用して周波数取得を実行することをさらに具備する、請求項１の方法。
【請求項５】
周波数領域のＰＮシーケンス信号を使用して時間取得を実行することをさらに具備する、請求項１の方法。
【請求項６】
拡散シーケンスとして周波数領域のＰＮシーケンスへ変調された受信された制御情報を復調することをさらに具備する、請求項１の方法。
【請求項７】
拡散シーケンスとして周波数領域のＰＮシーケンスへ変調された受信されたデータコードを復調することをさらに具備する、請求項１の方法。
【請求項８】
周波数領域のＰＮシーケンスを用いてコード多重化された受信された制御情報を復調することをさらに具備する、請求項１の方法。
【請求項９】
周波数領域のＰＮシーケンスを用いてコード多重化された受信されたデータコードを復調することをさらに具備する、請求項１の方法。
【請求項１０】
前記受信されたデータパケット通信信号の前記トーンは、変調コードａmod（i+Δ(p-1),m）によって変調される、請求項１の方法。
【請求項１１】
周波数ステップΔは、周波数取得不明確性を避けるために選択される、請求項１０の方法。
【請求項１２】
周波数領域ベースの擬似ノイズ（ＰＮ）シーケンスに基づく時間領域のＰＮシーケンスのファミリーを使用するワイヤレス通信を受信するためのコンピュータ・プログラム・プロダクトであって、
少なくとも一つのプロセッサによって実行された場合に、
複数ｍの周波数領域の使用可能トーンで送信されたデータパケット通信信号を受信することを、コンピュータに行なわせるためのコードのセットと、
複数のメンバーが｛０，１｝から±１へマップされるバイナリの最大長のシフトレジスタ・シーケンス（ｍ−シーケンス）を具備する周波数領域のバイナリの擬似ノイズ（ＰＮ）シーケンスａi，ｉ＝０，１，…，ｍ−１をアクセスすることを、前記コンピュータに行なわせるためのコードのセットと、
複数ｍの周波数領域の使用可能連続トーン内の前記周波数領域のバイナリのＰＮシーケンスを循環的にシフトすることによって、総数ｋの時間領域のシーケンス・スペクトルのファミリーを生成することを、前記コンピュータに行わせるためのコードのセットと、
前記時間領域のＰＮシーケンスのファミリーを用いて、前記受信されたデータパケット通信シーケンスのシーケンス・スペクトルの数列ｐ＝１,２，…，ｋを復調することを、前記コンピュータに行なわせるためのコードのセットと、
を具備するコンポーネントを実行するコンピュータ実行可能命令を記憶する少なくとも一つのコンピュータ読み出し可能記憶媒体、を具備し、
前記周波数領域のＰＮシーケンスのファミリーは、低い時間領域のピーク対平均（ＰＡＲ）比率を提供し、各ＰＮシーケンスは、例えばゼロのアウト・オブ・フェーズの相関のような完全な自己相関を提供し、任意のＰＮシーケンスのペアは、実質的に完全な相互相関を持ち、そして周波数領域におけるシーケンス相関は、加算のみ又は加算及び減算のみのオペレーションを用いて達成した、コンピュータ・プログラム・プロダクト。
【請求項１３】
周波数領域ベースの擬似ノイズ（ＰＮ）シーケンスに基づく時間領域のＰＮシーケンスのファミリーを使用するワイヤレス通信を受信するための装置であって、
少なくとも一つのプロセッサと、
前記少なくとも一つのプロセッサによって実行された場合に、
複数ｍの周波数領域の使用可能トーンで送信されたデータパケット通信信号を受信するための手段と、
複数のメンバーが｛０，１｝から±１へマップされるバイナリの最大長のシフトレジスタ・シーケンス（ｍ−シーケンス）を具備する周波数領域のバイナリの擬似ノイズ（ＰＮ）シーケンスａi，ｉ＝０，１，…，ｍ−１をアクセスするための手段と、
複数ｍの周波数領域の使用可能連続トーン内の前記周波数領域のバイナリのＰＮシーケンスを循環的にシフトすることによって、総数ｋの時間領域のシーケンス・スペクトルのファミリーを生成するための手段と、
前記時間領域のＰＮシーケンスのファミリーを用いて、前記受信されたデータパケット通信シーケンスのシーケンス・スペクトルの数列ｐ＝１,２，…，ｋを復調するための手段と、
を具備するコンポーネントを実行するコンピュータ実行可能命令を記憶する少なくとも一つのコンピュータ読み出し可能記憶媒体、を具備し、
前記周波数領域のＰＮシーケンスのファミリーは、低い時間領域のピーク対平均（ＰＡＲ）比率を提供し、各ＰＮシーケンスは、例えばゼロのアウト・オブ・フェーズの相関のような完全な自己相関を提供し、任意のＰＮシーケンスのペアは、実質的に完全な相互相関を持ち、そして周波数領域におけるシーケンス相関は、加算のみ又は加算及び減算のみのオペレーションを用いて達成した、装置。
【請求項１４】
周波数領域ベースの擬似ノイズ（ＰＮ）シーケンスに基づく時間領域のＰＮシーケンスのファミリーを使用するワイヤレス通信を受信するための装置であって、
複数ｍの周波数領域の使用可能トーンで送信されたデータパケット通信信号を受信するためのレシーバと、
複数のメンバーが｛０，１｝から±１へマップされるバイナリの最大長のシフトレジスタ・シーケンス（ｍ−シーケンス）を具備する周波数領域のバイナリの擬似ノイズ（ＰＮ）シーケンスａi，ｉ＝０，１，…，ｍ−１をアクセスするためのコンピュータ読み出し可能記憶媒体と、
複数ｍの周波数領域の使用可能連続トーン内の前記周波数領域のバイナリのＰＮシーケンスを循環的にシフトすることによって、総数ｋの時間領域のシーケンス・スペクトルのファミリーを生成するためのコンピューティング・プラットフォームと、
前記時間領域のＰＮシーケンスのファミリーを用いて、前記受信されたデータパケット通信シーケンスのシーケンス・スペクトルの数列ｐ＝１,２，…，ｋを復調するための復調器と、
を具備し、
前記周波数領域のＰＮシーケンスのファミリーは、低い時間領域のピーク対平均（ＰＡＲ）比率を提供し、各ＰＮシーケンスは、例えばゼロのアウト・オブ・フェーズの相関のような完全な自己相関を提供し、任意のＰＮシーケンスのペアは、実質的に完全な相互相関を持ち、そして周波数領域におけるシーケンス相関は、加算のみ又は加算及び減算のみのオペレーションを用いて達成した、装置。
【請求項１５】
前記コンピューティング・プラットフォームは、さらに、周波数領域のＰＮシーケンス信号を使用してセル取得を実行するためのものである、請求項１４の装置。
【請求項１６】
前記コンピューティング・プラットフォームは、さらに、周波数領域のＰＮシーケンス信号を使用してセル識別を実行するためのものである、請求項１４の装置。
【請求項１７】
前記コンピューティング・プラットフォームは、さらに、周波数領域のＰＮシーケンス信号を使用して周波数取得を実行するためのものである、請求項１４の装置。
【請求項１８】
前記コンピューティング・プラットフォームは、さらに、周波数領域のＰＮシーケンス信号を使用して時間取得を実行するためのものである、請求項１４の装置。
【請求項１９】
前記コンピューティング・プラットフォームは、さらに、拡散シーケンスとして周波数領域のＰＮシーケンスへ変調された受信された制御情報を復調するためのものである、請求項１４の装置。
【請求項２０】
前記コンピューティング・プラットフォームは、さらに、拡散シーケンスとして周波数領域のＰＮシーケンスへ変調された受信されたデータコードを復調するためのものである、請求項１４の装置。
【請求項２１】
前記コンピューティング・プラットフォームは、さらに、周波数領域のＰＮシーケンスを用いてコード多重化された受信された制御情報を復調するためのものである、請求項１４の装置。
【請求項２２】
前記コンピューティング・プラットフォームは、さらに、周波数領域のＰＮシーケンスを用いてコード多重化された受信されたデータコードを復調するためのものである、請求項１４の装置。
【請求項２３】
前記受信されたデータパケット通信信号の前記トーンは、変調コードａmod（i+Δ(p-1),m）によって変調される、請求項１４の装置。
【請求項２４】
周波数ステップΔは、周波数取得不明確性を避けるために選択される、請求項２４の装置。
【請求項２５】
周波数領域ベースの擬似ノイズ（ＰＮ）シーケンスに基づく時間領域のＰＮシーケンスのファミリーを使用するワイヤレス通信を送信するための方法であって、
複数のメンバーが｛０，１｝から±１へマップされるバイナリの最大長のシフトレジスタ・シーケンス（Ｍ−シーケンス）を具備する周波数領域のバイナリの擬似ノイズ（ＰＮ）シーケンスａi，ｉ＝０，１，…，ｍ−１をアクセスすることと、
複数ｍの周波数領域の使用可能連続トーン内の周波数領域のバイナリのＰＮシーケンスを循環的にシフトすることによって、総数ｋの時間領域のシーケンス・スペクトルのファミリーを生成することと、
前記時間領域のＰＮシーケンスのファミリーを用いて、データパケット通信を変調することと、
複数ｍの周波数領域の使用可能トーンで送信される前記変調されたデータパケット通信信号を送信することと、
の動作を実行するために、コンピュータ読み出し可能記憶媒体に記憶されるコンピュータ実行可能命令を実行するプロセッサを使用することを具備し、
前記周波数領域のＰＮシーケンスのファミリーは、低い時間領域のピーク対平均（ＰＡＲ）比率を提供し、各ＰＮシーケンスは、例えばゼロのアウト・オブ・フェーズの相関のような完全な自己相関を提供し、任意のＰＮシーケンスのペアは、実質的に完全な相互相関を持ち、そして周波数領域におけるシーケンス相関は、加算のみ又は加算及び減算のみのオペレーションを用いて達成した、方法。
【請求項２６】
周波数領域のＰＮシーケンス信号を使用してセル取得を実行するために、受信端末に対して前記データパケット通信を送信することをさらに具備する、請求項２５の方法。
【請求項２７】
周波数領域のＰＮシーケンス信号を使用してセル識別を実行するために、受信端末に対して前記データパケット通信を送信することをさらに具備する、請求項２５の方法。
【請求項２８】
周波数領域のＰＮシーケンス信号を使用して周波数取得を実行するために、受信端末に対して前記データパケット通信を送信することをさらに具備する、請求項２５の方法。
【請求項２９】
周波数領域のＰＮシーケンス信号を使用して時間取得を実行するために、受信端末に対して前記データパケット通信を送信することをさらに具備する、請求項２５の方法。
【請求項３０】
拡散シーケンスとして周波数領域のＰＮシーケンスへ変調された制御情報を具備する前記データパケット通信を送信することをさらに具備する、請求項２５の方法。
【請求項３１】
拡散シーケンスとして周波数領域のＰＮシーケンスへ変調されたデータコードを具備する前記データパケット通信を送信することをさらに具備する、請求項２５の方法。
【請求項３２】
周波数領域のＰＮシーケンスを用いたコード多重化によって制御情報を具備する前記データパケット通信を送信することをさらに具備する、請求項２５の方法。
【請求項３３】
周波数領域のＰＮシーケンスを用いたコード多重化によって前記データパケット通信を送信することをさらに具備する、請求項２５の方法。
【請求項３４】
時間領域のＰＮシーケンスのファミリーを用いて、前記データパケット通信シーケンスのシーケンス・スペクトルの数列ｐ＝１,２，…，ｋについての変調コードａmod（i+Δ(p-1),m）を用いて前記データパケット通信を変調することをさらに具備する、請求項２５の方法。
【請求項３５】
周波数取得不明確性を避けるために周波数ステップΔを選択することをさらに具備する、請求項３４の方法。
【請求項３６】
周波数領域ベースの擬似ノイズ（ＰＮ）シーケンスに基づく時間領域のＰＮシーケンスのファミリーを使用するワイヤレス通信を送信するためのコンピュータ・プログラム・プロダクトであって、
少なくとも一つのプロセッサによって実行された場合に、
複数のメンバーが｛０，１｝から±１へマップされるバイナリの最大長のシフトレジスタ・シーケンス（Ｍ−シーケンス）を具備する周波数領域のバイナリの擬似ノイズ（ＰＮ）シーケンスａi，ｉ＝０，１，…，ｍ−１をアクセスすることを、コンピュータに行なわせるためのコードのセットと、
複数ｍの周波数領域の使用可能連続トーン内の周波数領域のバイナリのＰＮシーケンスを循環的にシフトすることによって、総数ｋの時間領域のシーケンス・スペクトルのファミリーを生成することを、前記コンピュータに行わせるためのコードのセットと、
前記時間領域のＰＮシーケンスのファミリーを用いて、データパケット通信を変調することを、前記コンピュータに行わせるためのコードのセットと、
複数ｍの周波数領域の使用可能トーンで送信される前記変調されたデータパケット通信信号を送信することを、前記コンピュータに行わせるためのコードのセットと
を具備するコンポーネントを実行するコンピュータ実行可能命令を記憶する少なくとも一つのコンピュータ読み出し可能記憶媒体、を具備し、
前記周波数領域のＰＮシーケンスのファミリーは、低い時間領域のピーク対平均（ＰＡＲ）比率を提供し、各ＰＮシーケンスは、例えばゼロのアウト・オブ・フェーズの相関のような完全な自己相関を提供し、任意のＰＮシーケンスのペアは、実質的に完全な相互相関を持ち、そして周波数領域におけるシーケンス相関は、加算のみ又は加算及び減算のみのオペレーションを用いて達成した、コンピュータ・プログラム・プロダクト。
【請求項３７】
周波数領域ベースの擬似ノイズ（ＰＮ）シーケンスに基づく時間領域のＰＮシーケンスのファミリーを使用するワイヤレス通信を送信するための装置であって、
少なくとも一つのプロセッサと、
前記少なくとも一つのプロセッサによって実行された場合に、
複数のメンバーが｛０，１｝から±１へマップされるバイナリの最大長のシフトレジスタ・シーケンス（Ｍ−シーケンス）を具備する周波数領域のバイナリの擬似ノイズ（ＰＮ）シーケンスａi，ｉ＝０，１，…，ｍ−１をアクセスするための手段と、
複数ｍの周波数領域の使用可能連続トーン内の周波数領域のバイナリのＰＮシーケンスを循環的にシフトすることによって、総数ｋの時間領域のシーケンス・スペクトルのファミリーを生成するための手段と、
前記時間領域のＰＮシーケンスのファミリーを用いて、データパケット通信を変調するための手段と、
複数ｍの周波数領域の使用可能トーンで送信される前記変調されたデータパケット通信信号を送信するための手段と、
を具備するコンポーネントを実行するコンピュータ実行可能命令を記憶する少なくとも一つのコンピュータ読み出し可能記憶媒体、を具備し、
前記周波数領域のＰＮシーケンスのファミリーは、低い時間領域のピーク対平均（ＰＡＲ）比率を提供し、各ＰＮシーケンスは、例えばゼロのアウト・オブ・フェーズの相関のような完全な自己相関を提供し、任意のＰＮシーケンスのペアは、実質的に完全な相互相関を持ち、そして周波数領域におけるシーケンス相関は、加算のみ又は加算及び減算のみのオペレーションを用いて達成した、装置。
【請求項３８】
周波数領域ベースの擬似ノイズ（ＰＮ）シーケンスに基づく時間領域のＰＮシーケンスのファミリーを使用するワイヤレス通信を送信するための装置であって、
複数のメンバーが｛０，１｝から±１へマップされるバイナリの最大長のシフトレジスタ・シーケンス（Ｍ−シーケンス）を具備する周波数領域のバイナリの擬似ノイズ（ＰＮ）シーケンスａi，ｉ＝０，１，…，ｍ−１をアクセスするためのコンピュータ読み出し可能記憶媒体と、
複数ｍの周波数領域の使用可能連続トーン内の周波数領域のバイナリのＰＮシーケンスを循環的にシフトすることによって、総数ｋの時間領域のシーケンス・スペクトルのファミリーを生成するためのコンピューティング・プラットフォームと、
前記時間領域のＰＮシーケンスのファミリーを用いて、データパケット通信を変調するための変調器と、
複数ｍの周波数領域の使用可能トーンで送信される前記変調されたデータパケット通信信号を送信するためのトランスミッタと、
を具備し、
前記周波数領域のＰＮシーケンスのファミリーは、低い時間領域のピーク対平均（ＰＡＲ）比率を提供し、各ＰＮシーケンスは、例えばゼロのアウト・オブ・フェーズの相関のような完全な自己相関を提供し、任意のＰＮシーケンスのペアは、実質的に完全な相互相関を持ち、そして周波数領域におけるシーケンス相関は、加算のみ又は加算及び減算のみのオペレーションを用いて達成した、装置。
【請求項３９】
前記コンピューティング・プラットフォームは、さらに、周波数領域のＰＮシーケンス信号を使用してセル取得を実行するために、受信端末に対して前記データパケット通信を送信するためのものである、請求項３８の装置。
【請求項４０】
前記コンピューティング・プラットフォームは、さらに、周波数領域のＰＮシーケンス信号を使用してセル識別を実行するために、受信端末に対して前記データパケット通信を送信するためのものである、請求項３８の装置。
【請求項４１】
前記コンピューティング・プラットフォームは、さらに、周波数領域のＰＮシーケンス信号を使用して周波数取得を実行するために、受信端末に対して前記データパケット通信を送信するためのものである、請求項３８の装置。
【請求項４２】
前記コンピューティング・プラットフォームは、さらに、周波数領域のＰＮシーケンス信号を使用して時間取得を実行するために、受信端末に対して前記データパケット通信を送信するためのものである、請求項３８の装置。
【請求項４３】
前記コンピューティング・プラットフォームは、さらに、拡散シーケンスとして周波数領域のＰＮシーケンスへ変調された制御情報を具備する前記データパケット通信を送信するためのものである、請求項３８の装置。
【請求項４４】
前記コンピューティング・プラットフォームは、さらに、拡散シーケンスとして周波数領域のＰＮシーケンスへ変調することによって、データコードを具備する前記データパケット通信を送信するためのものである、請求項３８の装置。
【請求項４５】
前記コンピューティング・プラットフォームは、さらに、周波数領域のＰＮシーケンスを用いたコード多重化によって制御情報を具備する前記データパケット通信を送信するためのものである、請求項３８の装置。
【請求項４６】
前記コンピューティング・プラットフォームは、さらに、周波数領域のＰＮシーケンスを用いたコード多重化によってデータコードを具備する前記データパケット通信を送信するためのものである、請求項３８の装置。
【請求項４７】
前記変調器は、さらに、時間領域のＰＮシーケンスのファミリーを用いて、前記データパケット通信シーケンスのシーケンス・スペクトルの数列ｐ＝１,２，…，ｋについての変調コードａmod（i+Δ(p-1),m）を用いて前記データパケット通信を変調するためのものである、請求項３８の装置。
【請求項４８】
前記変調器は、さらに、周波数取得不明確性を避けるために周波数ステップΔを選択するためのものである、請求項４７の装置。
【発明の詳細な説明】
【優先権の主張】
【０００１】
[３５Ｕ．Ｓ．Ｃ．§１１９の下の優先権の主張]
特許のための本願は、２００８年８月２７日に出願され、これの譲受人に譲受され、この結果参照されることによって明らかにここに完全に組み込まれる仮出願番号第６１／０９２，２００号に対する優先権を主張する。
【背景】
【０００２】
分野
以下の記述は、一般に、ワイヤレス通信、特に、周波数領域の擬似ランダム／擬似ノイズシーケンスのセットの特性、に関する。
【０００３】
背景
ワイヤレス通信システムは、各種の通信を提供するために広く展開される；例えば、音声及び／又はデータは、そのようなワイヤレス通信システムを通じて提供されることができる。典型的なワイヤレス通信システム又はネットワークは、１以上の共有される資源（例えば、帯域幅、送信パワー、など）への多重ユーザアクセスを提供することができる。例えば、システムは、周波数分割多重（ＦＤＭ）、時分割多重（ＴＤＭ）、符号分割多重（ＣＤＭ）、直交周波数分割多重（ＯＦＤＭ）、その他のような、各種の多重アクセス技術を使用することができる。
【０００４】
一般に、ワイヤレス多重アクセス通信システムは、同時に、多重アクセス端末のための通信をサポートすることができる。各アクセス端末は、フォワードリンク及びリバースリンクの伝送によって１以上の基地局と通信することができる。フォワードリンク(又はダウンリンク)は、基地局からアクセス端末への通信リンクを指し、リバースリンク（又はアップリンク）は、アクセス端末から基地局への通信リンクを指す。通信リンクは、シングル−イン−シングル−アウト、マルチプル−イン−シングル−アウト、又はマルチプル
−イン−マルチプル−アウト（ＭＩＭＯ）システムによって確立されることができる。
【０００５】
ＭＩＭＯシステムは、一般に、データ伝送のために、複数（ＮT）の送信アンテナと、複数（ＮR）の受信アンテナとを使用する。ＮTの送信及びＮRの受信アンテナによって形成されるＭＩＭＯチャネルは、ＮSの独立したチャネルへ分解されることができ、ＮSの独立したチャネルは、空間チャネルと呼ぶことができ、ここでＮS≦｛ＮT，ＮR｝である。ＮSの独立したチャネルのそれぞれは、１次元に対応する。さらに、もし、複数の送信及び受信アンテナによって生成された追加の次元が利用されると、ＭＩＭＯシステムは、改善された性能（例えば、増加されたスペクトル効率、より高いスループット及び／又はより大きな信頼性)を提供することができる。
【０００６】
ＭＩＭＯシステムは、共通の物理媒体を通じて、フォワード及びリバースリンク通信を分割するための各種の二重化技術をサポートすることができる。例えば、周波数分割二重（ＦＤＤ）システムは、フォワード及びリバースリンク通信のための異なる周波数領域を利用することができる。さらに、時分割二重（ＴＤＤ）システムにおいては、相互関係の原理がリバースリンク・チャネルからのフォワードリンクの推定を可能にするために、フォワード及びリバースリンク通信は、共通の周波数領域を使用することができる。
【０００７】
ワイヤレス通信システムは、しばしば、カバレッジエリアを提供する１以上の基地局を使用する。典型的な基地局は、ブロードキャスト、マルチキャスト、及び／又はユニキャスト・サービスのための複数のデータストリームを送信することができ、ここで、データストリームは、アクセス端末への独立の受理権利でありえるデータのストリームとしてもよい。そのような基地局のカバレッジエリア内のアクセス端末は、合成ストリームによって運ばれる、1つ、１より多い、又はすべてのデータストリームを受信するために使用されることができる。同様に、アクセス端末は、基地局又は他のアクセス端末へデータを送信することができる。
【０００８】
典型的なワイヤレス通信ネットワーク(例えば、周波数、時間及び符合分割技術を使用する)は、カバレッジエリアを提供する１以上の基地局と、カバレッジエリア内でデータを送信及び受信できる１以上のモバイル（例えばワイヤレス）端末を含むことができる。典型的な基地局は、同時に、ブロードキャスト、マルチキャスト、及び／又はユニキャスト・サービスのための複数のデータストリームを送信することができ、ここで、データストリームは、モバイル端末への独立の受理権利でありえるデータのストリームとしてもよい。その基地局のカバレッジエリア内のモバイル端末は、合成ストリームによって運ばれる、1つ、１より多い、又はすべてのデータストリームを受信することに関係されることができる。同様に、モバイル端末は、基地局又は他のモバイル端末へデータを送信することができる。そのようなアクセスポイントとモバイル端末との間、又は、複数のモバイル端末の間の通信は、端末がカバレッジセクタを取り扱う基地局を「取得した」後に、起こることができる。典型的には、取得プロセスにおいて、端末は、取り扱う基地局と通信するために必要なシステム情報にアクセスする。端末は、特定のパターンなくセクタに入り及び去るとともに、取得情報は、セクタによって頻繁に送信される。後者は、ワイヤレスシステムにおいて重要なオーバーヘッドを負わせる。
【概要】
【０００９】
以下は、１以上の実施形態の基本理解を提供するためにそのような実施形態の単純化された概要を提供する。この概要はすべてのよく考慮された実施形態の広範囲な概観でなく、すべての実施形態のキー又は不可欠な要素を識別しない、又は、任意又はすべての実施形態の範囲を描写しないことを意図する。その唯一の目的は、後で提供されるより詳細な記述に対して、前置きとして、単純化された形式で1以上の実施形態のいずれかの概念を提供することである。
【００１０】
ある局面において、方法は、次の動作を実行するために、コンピュータ読み出し可能記憶媒体に記憶されるコンピュータ実行可能命令を実行するプロセッサを使用することによって、周波数領域ベースの擬似ノイズ（ＰＮ）シーケンスに基づく時間領域のＰＮシーケンスのファミリーを使用して、ワイヤレス通信を受信するために提供される：複数ｍの周波数領域の使用可能トーンで送信されたデータパケット通信信号は、受信される。複数のメンバーが｛０，１｝から±１へマップされるバイナリの最大長のシフトレジスタ・シーケンス（ｍ−シーケンス）を具備する周波数領域のバイナリの擬似ノイズ（ＰＮ）シーケンスａi，ｉ＝０，１，…，ｍ−１は、アクセスされる。総数ｋの時間領域のシーケンス・スペクトルのファミリーは、複数ｍの周波数領域の使用可能連続トーン内の前記周波数領域のバイナリのＰＮシーケンスを循環的にシフトすることによって、生成される。受信されたデータパケット通信シーケンスのシーケンス・スペクトルの数列ｐ＝１,２，…，ｋは、時間領域のＰＮシーケンスのファミリーを用いて復調される。周波数領域のＰＮシーケンスのファミリーは、低い時間領域のピーク対平均（ＰＡＲ）比率を提供し、各ＰＮシーケンスは、例えばゼロのアウト・オブ・フェーズの相関のような完全な自己相関を提供し、任意のＰＮシーケンスのペアは、実質的に完全な相互相関を持ち、そして周波数領域におけるシーケンス相関は、加算のみ又は加算及び減算のみのオペレーションを用いて達成した。
【００１１】
他の局面において、コンピュータ・プログラム・プロダクトは、周波数領域ベースの擬似ノイズ（ＰＮ）シーケンスに基づく時間領域のＰＮシーケンスのファミリーを使用するワイヤレス通信を受信するために提供される。少なくとも一つのコンピュータ読み出し可能記憶媒体は、少なくとも一つのプロセッサによって実行された場合に、コンポーネントを実行するコンピュータ実行可能命令を記憶する。コードのセットは、コンピュータに、複数ｍの周波数領域の使用可能トーンで送信されたデータパケット通信信号を受信することを行なわせる。コードのセットは、コンピュータに、複数のメンバーが｛０，１｝から±１へマップされるバイナリの最大長のシフトレジスタ・シーケンス（ｍ−シーケンス）を具備する周波数領域のバイナリの擬似ノイズ（ＰＮ）シーケンスａi，ｉ＝０，１，…，ｍ−１をアクセスすることを行なわせる。コードのセットは、コンピュータに、複数ｍの周波数領域の使用可能連続トーン内の周波数領域のバイナリのＰＮシーケンスを循環的にシフトすることによって、総数ｋの時間領域のシーケンス・スペクトルのファミリーを生成することを行わせる。コードのセットは、コンピュータに、時間領域のＰＮシーケンスのファミリーを用いて、受信されたデータパケット通信シーケンスのシーケンス・スペクトルの数列ｐ＝１,２，…，ｋを復調することを行なわせる。周波数領域のＰＮシーケンスのファミリーは、低い時間領域のピーク対平均（ＰＡＲ）比率を提供し、各ＰＮシーケンスは、例えばゼロのアウト・オブ・フェーズの相関のような完全な自己相関を提供し、任意のＰＮシーケンスのペアは、実質的に完全な相互相関を持ち、そして周波数領域におけるシーケンス相関は、加算のみ又は加算及び減算のみのオペレーションを用いて達成した。
【００１２】
さらなる局面において、装置は、周波数領域ベースの擬似ノイズ（ＰＮ）シーケンスに基づく時間領域のＰＮシーケンスのファミリーを使用するワイヤレス通信を受信するために提供される。少なくとも一つのコンピュータ読み出し可能記憶媒体は、少なくとも一つのプロセッサによって実行された場合に、コンポーネントを実行するコンピュータ実行可能命令を記憶する。手段は、複数ｍの周波数領域の使用可能トーンで送信されたデータパケット通信信号を受信するために提供される。手段は、複数のメンバーが｛０，１｝から±１へマップされるバイナリの最大長のシフトレジスタ・シーケンス（ｍ−シーケンス）を具備する周波数領域のバイナリの擬似ノイズ（ＰＮ）シーケンスａi，ｉ＝０，１，…，ｍ−１をアクセスするために提供される。手段は、複数ｍの周波数領域の使用可能連続トーン内の周波数領域のバイナリのＰＮシーケンスを循環的にシフトすることによって、総数ｋの時間領域のシーケンス・スペクトルのファミリーを生成するために提供される。手段は、時間領域のＰＮシーケンスのファミリーを用いて、受信されたデータパケット通信シーケンスのシーケンス・スペクトルの数列ｐ＝１,２，…，ｋを復調するために提供される。周波数領域のＰＮシーケンスのファミリーは、低い時間領域のピーク対平均（ＰＡＲ）比率を提供し、各ＰＮシーケンスは、例えばゼロのアウト・オブ・フェーズの相関のような完全な自己相関を提供し、任意のＰＮシーケンスのペアは、実質的に完全な相互相関を持ち、そして周波数領域におけるシーケンス相関は、加算のみ又は加算及び減算のみのオペレーションを用いて達成した。
【００１３】
さらなる局面において、装置は、周波数領域ベースの擬似ノイズ（ＰＮ）シーケンスに基づく時間領域のＰＮシーケンスのファミリーを使用するワイヤレス通信を受信するために提供される。レシーバは、複数ｍの周波数領域の使用可能トーンで送信されたデータパケット通信信号を受信するためのものである。コンピュータ読み出し可能記憶媒体は、複数のメンバーが｛０，１｝から±１へマップされるバイナリの最大長のシフトレジスタ・シーケンス（ｍ−シーケンス）を具備する周波数領域のバイナリの擬似ノイズ（ＰＮ）シーケンスａi，ｉ＝０，１，…，ｍ−１をアクセスするためのものである。コンピューティング・プラットフォームは、複数ｍの周波数領域の使用可能連続トーン内の周波数領域のバイナリのＰＮシーケンスを循環的にシフトすることによって、総数ｋの時間領域のシーケンス・スペクトルのファミリーを生成するためのものである。復調器は、時間領域のＰＮシーケンスのファミリーを用いて、受信されたデータパケット通信シーケンスのシーケンス・スペクトルの数列ｐ＝１,２，…，ｋを復調するためのものである。周波数領域のＰＮシーケンスのファミリーは、低い時間領域のピーク対平均（ＰＡＲ）比率を提供し、各ＰＮシーケンスは、例えばゼロのアウト・オブ・フェーズの相関のような完全な自己相関を提供し、任意のＰＮシーケンスのペアは、実質的に完全な相互相関を持ち、そして周波数領域におけるシーケンス相関は、加算のみ又は加算及び減算のみのオペレーションを用いて達成した。
【００１４】
また、ある局面において、方法は、次の動作を実行するために、コンピュータ読み出し可能記憶媒体に記憶されるコンピュータ実行可能命令を実行するプロセッサを使用することによって、周波数領域ベースの擬似ノイズ（ＰＮ）シーケンスに基づく時間領域のＰＮシーケンスのファミリーを使用するワイヤレス通信を送信するために提供される。複数のメンバーが｛０，１｝から±１へマップされるバイナリの最大長のシフトレジスタ・シーケンス（Ｍ−シーケンス）を具備する周波数領域のバイナリの擬似ノイズ（ＰＮ）シーケンスａi，ｉ＝０，１，…，ｍ−１は、アクセスされる。総数ｋの時間領域のシーケンス・スペクトルのファミリーは、複数ｍの周波数領域の使用可能連続トーン内の周波数領域のバイナリのＰＮシーケンスを循環的にシフトすることによって、生成される。データパケット通信は、時間領域のＰＮシーケンスのファミリーを用いて、変調される。変調されたデータパケット通信信号は、複数ｍの周波数領域の使用可能トーンで送信される。周波数領域のＰＮシーケンスのファミリーは、低い時間領域のピーク対平均（ＰＡＲ）比率を提供し、各ＰＮシーケンスは、例えばゼロのアウト・オブ・フェーズの相関のような完全な自己相関を提供し、任意のＰＮシーケンスのペアは、実質的に完全な相互相関を持ち、そして周波数領域におけるシーケンス相関は、加算のみ又は加算及び減算のみのオペレーションを用いて達成した。
【００１５】
また、他の局面において、コンピュータ・プログラム・プロダクトは、周波数領域ベースの擬似ノイズ（ＰＮ）シーケンスに基づく時間領域のＰＮシーケンスのファミリーを使用するワイヤレス通信を送信するために提供される。少なくとも一つのコンピュータ読み出し可能記憶媒体は、少なくとも一つのプロセッサによって実行された場合に、コンポーネントを実行するコンピュータ実行可能命令を記憶する。コードのセットは、コンピュータに、複数のメンバーが｛０，１｝から±１へマップされるバイナリの最大長のシフトレジスタ・シーケンス（Ｍ−シーケンス）を具備する周波数領域のバイナリの擬似ノイズ（ＰＮ）シーケンスａi，ｉ＝０，１，…，ｍ−１をアクセスすることを行なわせる。コードのセットは、コンピュータに、複数ｍの周波数領域の使用可能連続トーン内の周波数領域のバイナリのＰＮシーケンスを循環的にシフトすることによって、総数ｋの時間領域のシーケンス・スペクトルのファミリーを生成することを行わせる。コードのセットは、時間領域のＰＮシーケンスのファミリーを用いて、データパケット通信を変調することを行わせる。コードのセットは、コンピュータに、複数ｍの周波数領域の使用可能トーンで送信される前記変調されたデータパケット通信信号を送信することを行わせる。周波数領域のＰＮシーケンスのファミリーは、低い時間領域のピーク対平均（ＰＡＲ）比率を提供し、各ＰＮシーケンスは、例えばゼロのアウト・オブ・フェーズの相関のような完全な自己相関を提供し、任意のＰＮシーケンスのペアは、実質的に完全な相互相関を持ち、そして周波数領域におけるシーケンス相関は、加算のみ又は加算及び減算のみのオペレーションを用いて達成した。
【００１６】
また、さらなる局面において、装置は、周波数領域ベースの擬似ノイズ（ＰＮ）シーケンスに基づく時間領域のＰＮシーケンスのファミリーを使用するワイヤレス通信を送信するために提供される。少なくとも一つのコンピュータ読み出し可能記憶媒体は、少なくとも一つのプロセッサによって実行された場合に、コンポーネントを実行するコンピュータ実行可能命令を記憶する。手段は、複数のメンバーが｛０，１｝から±１へマップされるバイナリの最大長のシフトレジスタ・シーケンス（Ｍ−シーケンス）を具備する周波数領域のバイナリの擬似ノイズ（ＰＮ）シーケンスａi，ｉ＝０，１，…，ｍ−１をアクセスするために提供される。手段は、複数ｍの周波数領域の使用可能連続トーン内の周波数領域のバイナリのＰＮシーケンスを循環的にシフトすることによって、総数ｋの時間領域のシーケンス・スペクトルのファミリーを生成するために提供される。手段は、時間領域のＰＮシーケンスのファミリーを用いて、データパケット通信を変調するために提供される。手段は、複数ｍの周波数領域の使用可能トーンで送信される変調されたデータパケット通信信号を送信するために提供される。周波数領域のＰＮシーケンスのファミリーは、低い時間領域のピーク対平均（ＰＡＲ）比率を提供し、各ＰＮシーケンスは、例えばゼロのアウト・オブ・フェーズの相関のような完全な自己相関を提供し、任意のＰＮシーケンスのペアは、実質的に完全な相互相関を持ち、そして周波数領域におけるシーケンス相関は、加算のみ又は加算及び減算のみのオペレーションを用いて達成した。
【００１７】
また、さらなる局面において、装置は、周波数領域ベースの擬似ノイズ（ＰＮ）シーケンスに基づく時間領域のＰＮシーケンスのファミリーを使用するワイヤレス通信を送信するために提供される。コンピュータ読み出し可能記憶媒体は、複数のメンバーが｛０，１｝から±１へマップされるバイナリの最大長のシフトレジスタ・シーケンス（Ｍ−シーケンス）を具備する周波数領域のバイナリの擬似ノイズ（ＰＮ）シーケンスａi，ｉ＝０，１，…，ｍ−１をアクセスするためのものである。コンピューティング・プラットフォームは、複数ｍの周波数領域の使用可能連続トーン内の周波数領域のバイナリのＰＮシーケンスを循環的にシフトすることによって、総数ｋの時間領域のシーケンス・スペクトルのファミリーを生成するためのものである。変調器は、時間領域のＰＮシーケンスのファミリーを用いて、データパケット通信を変調するためのものである。トランスミッタは、複数ｍの周波数領域の使用可能トーンで送信される変調されたデータパケット通信信号を送信するためのものである。周波数領域のＰＮシーケンスのファミリーは、低い時間領域のピーク対平均（ＰＡＲ）比率を提供し、各ＰＮシーケンスは、例えばゼロのアウト・オブ・フェーズの相関のような完全な自己相関を提供し、任意のＰＮシーケンスのペアは、実質的に完全な相互相関を持ち、そして周波数領域におけるシーケンス相関は、加算のみ又は加算及び減算のみのオペレーションを用いて達成した。
【００１８】
前述の完成及び関連される結果のために、１以上の局面は、後で十分に記述され、特に請求項で指摘される特徴を備える。以下の記述及び添付された図面は、以後、詳細なある例示の1以上の実施形態の局面を用意する。しかしながら、これらの局面は、各種の実施形態の原理が使用されることができる各種の方法の少数を指摘するのではなく、記述される実施形態は、すべてのそのような局面及びそれらの等価物を含むことが意図されている。
【図面の簡単な説明】
【００１９】
本開示の特徴、性質及び利点は、同じ参照符号が終始相応して同一視される図面とともに与えられた場合に、以後に用意される詳細な記述からより明確になるだろう。そしてここで:
【図１】図１は、周波数領域ベースの擬似ノイズ（ＰＮ）シーケンスに基づく時間領域のＰＮシーケンスのファミリーを使用するワイヤレス通信を使用するベースノードとユーザ機器のワイヤレス通信システムのブロック図を例示する。
【図２】図２は、以下で述べられる各種の局面に係る、及びワイヤレス通信システムの一部として、予め決定されている要求／関係を実行する擬似ランダム／擬似ノイズ（ＰＮ）ジェネレータのブロック図を例示する。
【図３】図３は、周波数領域ベースの擬似ノイズ（ＰＮ）シーケンスに基づく時間領域のＰＮシーケンスのファミリーを使用して、ワイヤレス通信を受信するためのオペレーションの方法論又はシーケンスのためのフロー図を例示する。
【図４】図４は、周波数領域ベースの擬似ノイズ（ＰＮ）シーケンスに基づく時間領域のＰＮシーケンスのファミリーを使用して、ワイヤレス通信を送信するためのオペレーションの方法論又はシーケンスのためのフロー図を例示する。
【図５】図５は、主題の技術革新の特別の局面に係る、ＰＮシーケンスを使用する通信システムを例示する。
【図６】図６は、主題の技術革新のさらなる特別の局面に係る、ＰＮシーケンシングを実行するシグナリング変調器を例示する。
【図７】図７は、主題の技術革新のさらなる特別の局面に係る、ＰＮシーケンスを実装するパイロット変調器を例示する。
【図８】図８は、さらなる局面に係る、ＰＮを用いる通信システムの一部として、例示のＯＦＤＭ変調器を示す。
【図９】図９は、ある局面に係る、例示のシステムのための例示のＯＦＤＭ復調器を示す。
【図１０】図１０は、特別の局面に係る、ＰＮシーケンスを生成するＰＮジェネレータを持つさらなる通信システムを例示する。
【図１１】図１１は、周波数領域ベースの擬似ノイズ（ＰＮ）シーケンスに基づく時間領域のＰＮシーケンスのファミリーを使用するワイヤレス通信を受信するための電気的コンポーネントの論理グルーピングを具備するシステムのブロック図を例示する。
【図１２】図１２は、周波数領域ベースの擬似ノイズ（ＰＮ）シーケンスに基づく時間領域のＰＮシーケンスのファミリーを使用するワイヤレス通信を送信するための電気的コンポーネントの論理グルーピングを具備するシステムのブロック図を例示する。
【図１３】図１３は、周波数領域ベースの擬似ノイズ（ＰＮ）シーケンスに基づく時間領域のＰＮシーケンスのファミリーを使用するワイヤレス通信を受信するための手段を具備する装置のブロック図を例示する。
【図１４】図１４は、周波数領域ベースの擬似ノイズ（ＰＮ）シーケンスに基づく時間領域のＰＮシーケンスのファミリーを使用するワイヤレス通信を送信するための手段を具備する装置のブロック図を例示する。
【詳細な説明】
【００２０】
1以上の局面及びそれの対応する開示にしたがって、各種の局面は、周波数領域の擬似ランダム／擬似ノイズ（ＰＮ）シーケンス（ｍ−シーケンスとして参照されるバイナリの最大長のシフトレジスタ・シーケンス）の完全な期間を使用することに関して記述され、ここで、ＰＮシーケンスは、予め決定されている要求又は関係を満たす。そのような要求又は関係は、
（１）実質的に低い時間領域のピーク対平均比率（ＰＡＲ）を供給することと、
（２）完全な周期的な自己相関（ゼロのアウト−オブ−フェーズ相関）を供給することと、  ３−任意のペアのシーケンスに対する実質的に完全な相互相関を提供することと、
（４）加算オペレーションのみ（乗算のオペレーションを使用することとまた対立して）を実行することによって周波数領域におけるシーケンス相関を供給すること、
を含む。まとめると、シーケンスのファミリーにおけるそのような特徴は、効率的な信号送信(例えば実質的に低い電力使用)を促進する−ここで、ファミリーにおける異なるシーケンスは、互いに、周波数領域の循環シフトとして生成される。そのため、取得信号について、主題革新の局面は、ゼロと非ゼロの周波数オフセットに関する自己相関／相互相関の双方を維持する間、実質的に低いピーク対平均比率を持つベースシーケンスの実質的に大きい（シーケンス長と比較した場合の）セットを供給する。
【００２１】
各種の実施形態は、今、図面の参照を用いて記述され、同様な参照番号は、終始、同様の要素を参照するために使用される。以下の記述において、説明の目的のために、多数の特定の詳細は、１つ以上の実施形態についての詳細な理解を提供するために述べられる。しかしながら、そのような実施形態がこれらの特定の詳細なしで実行できることは、明確であってもよい。他の実例において、よく知られた構成及び装置が、１以上の実施形態を記述することを促進するためにブロック図の形式で示される。
【００２２】
本出願で使用されるように、用語「コンポーネント」、「モジュール」、「システム」などは、ハードウェア、ファームウェア、ハードウェアとソフトウェアの組み合わせ、ソフトウェア、又は、実行中のソフトウェアのいずれかの、コンピュータ関連の実体を指すことを意図される。例えば、コンポーネントは、プロセッサ上で動作するプロセス、集積回路、オブジェクト、実行可能な、実行のスレッド、プログラム、及び／又はコンピュータでありえるが、限定されない。実例として、コンピューティング装置上で動作するアプリケーションとコンピューティング装置との双方は、コンポーネントになりえる。１以上のコンポーネントは、実行のプロセス及び／又はスレッド内に存在し、コンポーネントは、１つのコンピュータに局在化させることができ、及び／又は、２以上のコンポーネントの間に分散させることができる。加えて、これらのコンポーネントは、記憶される各種のデータ構造を持つ各種のコンピュータ読み出し可能媒体から実行することができる。コンポーネントは、例えば、１以上のデータパケット（例えば、ローカルシシステム、分散システムにおいて他のコンポーネントと相互作用するあるコンポーネントからの、及び／又は、信号として、他のシステムを備えるインターネットのようなネットワークを渡る、データ）を持つ信号にしたがうなど、ローカル及び／又はリモートプロセスとして通信することができる。
【００２３】
ここに記述される技術は、符号分割多元接続（ＣＤＭＡ)、時分割多元接続（ＴＤＭＡ）、周波数分割多元接続（ＦＤＭＡ）、直交周波数多元接続（ＯＦＤＭＡ）、シングルキャリアＦＤＭＡ（ＳＣ−ＦＤＭＡ）、及び他のシステムのような、各種のワイヤレス通信システムに使用されることができる。用語「システム」及び「ネットワーク」はしばしばここで交換可能に使用される。ＣＤＭＡシステムは、ＵＴＲＡ（Univarsal Terrestrial Radio Access）、ＣＤＭＡ２０００などのような、無線技術を実装することができる。ＵＴＲＡは、広帯域のＣＤＭＡ（Ｗ−ＣＤＭＡ）及びＣＤＭＡの他の変形を含む。ＣＤＭＡ２０００は、ＩＳ−２０００、ＩＳ−９５、及びＩＳ−８５６標準をカバーする。ＴＤＭＡシステムは、グローバル移動体通信システム（ＧＳＭ（登録商標））のような無線技術を実装することができる。ＯＦＤＭＡシステムは、Ｅ−ＵＴＲＡ（Evolved UTRA）、ＵＭＢ（Ultra Mobile Broadband）、ＩＥＥＥ８０２．１１（Ｗｉ−Ｆｉ）、ＩＥＥＥ８０２．１６（ＷｉＭＡＸ）、ＩＥＥＥ８０２．２０、フラッシュ−ＯＦＤＭ（登録商標）、などのような無線技術を実装することができる。ＵＴＲＡ及びＥ−ＵＴＲＡは、ユニバーサル・モバイル・テレコミュニケーション・システム（ＵＭＴＳ）の一部である。ＬＴＥ（3GPP Long Term Evolution）は、Ｅ−ＵＴＲＡを使用するアップカミング・リリースであり、ダウンリンクでＯＦＤＭＡ及びアップリンクでＳＣ−ＦＤＭＡを使用する。
【００２４】
シングルキャリアＦＤＭＡ（ＳＣ−ＦＤＭＡ）は、シングルキャリア変調及び周波数領域等価を利用する。ＳＣ−ＦＤＭＡは、OFDMAと同様の性能及び本質的に同じ全体にわたる複雑さを持つ。ＳＣ−ＦＤＭＡ信号は、その固有のシングルキャリア構造のために、低いピーク対平均電力比（ＰＡＰＲ）を持つ。ＳＣ−ＦＤＭＡは、例えば、より低いＰＡＰＲが送信電力効率に関して大きくアクセス端末のためになるアップリンク通信に使用されることができる。したがって、ＳＣ−ＦＤＭＡは、ＬＴＥ（3GPP Long Term Evolution）又は発展ＵＴＲＡにおけるアップリンク多重アクセススキームとして実行されることができる。
【００２５】
さらに、各種の実施形態は、アクセス端末に関してここに記述される。アクセス端末は、また、システム、加入者ユニット、加入者局装置、移動局、移動体、リモート局、リモート端末、モバイル装置、ユーザ端末、端末、ワイヤレス通信装置、ユーザエージェント、ユーザ装置、又はユーザ機器（ＵＥ）と呼ぶことができる。アクセス端末は、携帯電話、コードレス電話機、セッション設定プロトコル（ＳＩＰ）電話、ワイヤレス・ローカル・ループ（ＷＬＬ）ステーション、携帯情報端末（ＰＤＡ）、ワイヤレス接続能力を持っているハンドヘルド装置、コンピューティング装置、又はワイヤレスモデムに接続された他の処理装置になりえる。さらに、各種の実施形態は、基地局に関してここで記述される。基地局は、１又は複数のアクセス端末と通信するために利用されることができ、アクセスポイント、ノードＢ、発展ノードＢ（ｅＮｏｄｅＢ）又はいずれかの他の技術として参照されることができる。
【００２６】
加えて、ここに記述される各種の局面又は特徴は、標準のプログラミング及び／又はエンジニアリング技術を用いる方法、装置、又は、製造物品として実行されることができる。ここで使用される場合の「製造物品」は、任意のコンピュータ読み出し可能装置、キャリア、又は媒体からのアクセス可能なコンピュータプログラムを含むことが意図される。例えば、コンピュータ読み出し可能媒体は、磁気記憶装置（例えば、ハードディスク、フロッピー（登録商標）ディスク、磁気ストリップ、など）、光ディスク(例えば、コンパクトディスク（ＣＤ）、ディジタル・バーサタイル・ディスク（ＤＶＤ、など）、スマートカード、及びフラッシュメモリ装置（例えば、ＥＥＰＲＯＭ、カード、スティック、キードライブ、など）を含むことができ、しかしながら限定されない。さらに、ここに記述される各種の記憶媒体は、情報を記憶するための１以上の装置及び／又は他の機械読み出し可能媒体を表すことができる。用語「機械読み出し可能媒体」は、ワイヤレスチャネル、及び、命令及び／又はデータを記憶し、含み、及び／又は運ぶことが可能な各種の他の媒体を含むことができ、限定はされない。
【００２７】
図１において、通信システム１０は、受信装置（例えば、端末、ユーザ機器（ＵＥ））２０に対して、ワイヤライン又はワイヤレスチャネル１８で、時間領域（ＴＤ）の擬似ノイズ（ＰＮ）シーケンスの変調信号（例えば、制御情報、データコード）を送信する送信装置（例えば、基地局又はノード）を含む。有利に、送信装置１２は、ＴＤ・ＰＮシーケンスの生成と使用を促進するＰＮシーケンス・ジェネレータ３０を含む。そのため、アクセス・周波数領域（ＦＤ）・ＰＮシーケンス・コンポーネント３２は、ＴＤ・ＰＮシーケンスを生成するために、ＦＤ・ＰＮシーケンスの循環シフトを実行する循環シフト・コンポーネント３４に、ＦＤ・ＰＮシーケンスを提供する。この結果は、トランスミッタ３８による送信のために信号をコード、変調、又は拡散するための変調器３６によって使用される。有利に、受信装置２０は、ＴＤ・ＰＮシーケンスの生成及び使用を促進するＰＮシーケンス・ジェネレータ４０を含む。そのため、アクセス・周波数領域（ＦＤ）・ＰＮシーケンス・コンポーネント４２は、ＴＤ・ＰＮシーケンスを生成するために、ＦＤ・ＰＮシーケンスの循環シフトを実行する循環シフト・コンポーネント４４に、ＦＤ・ＰＮシーケンスを提供する。この結果は、レシーバ４８によって受信された信号１６をデコード、復調、又は拡散の逆（デスプレッド）を行なうための復調器４６によって使用される。
【００２８】
図２は、いくつかのワイヤレス端末１２０に対する通信をサポートするいくつかの基地局１１０を持つＯＦＤＭＡのような、ワイヤレス通信システム１００における擬似ランダム／擬似ノイズ（ＰＮ）シーケンスを例示する。ワイヤレスシステム１００は、周波数領域のＰＮシーケンスの完全な期間を使用することができる−（ｍ−シーケンスとして参照されるバイナリの最大長のシフトレジスタ・シーケンス）−ここで、ＰＮシーケンスは、予め決定されている必要又は関係を満たす。そのような必要又は関係は、：（１）実質的に低い時間領域のピーク対平均比率（ＰＡＲ）を供給することと；（２）完全な周期的な自己相関（ゼロのアウト−オブ−フェーズ相関）を供給することと；（３）任意のペアのシーケンスに対する実質的に完全な相互相関を提供することと；（４）加算オペレーションのみを実行することによって周波数領域におけるシーケンス相関を供給すること、を含む。まとめると、シーケンスのファミリーにおけるそのような特徴は、効率的な信号送信(例えば実質的に低い電力使用)を促進する−ここで、ファミリーにおける異なるシーケンスは、互いに、周波数領域の循環シフトとして生成される。
【００２９】
ネットワーク・コントローラ１３０は、基地局のセットと連結され、これらの基地局に調整とコントロールを提供するとしてもよい。ネットワーク・コントローラ１３０は、単一のネットワーク実体又はネットワーク実体の集合でもよい。ネットワーク・コントローラ１３０は、バックホールを介して基地局１１０と通信するとしてもよい。バックホール・ネットワーク通信は、そのような分散されたアーキテクチャを使用する基地局１１０の間の１対１通信を促進することができる。基地局１１０は、また、例えば、ワイヤレス又はワイヤライン・バックホールを介して直接的に又は間接的に、互いに通信するとしてもよい。
【００３０】
図３において、オペレーション２００の方法論又はシーケンスは、周波数領域ベースの擬似ノイズ（ＰＮ）シーケンスに基づく時間領域のＰＮシーケンスのファミリーを使用して、ワイヤレス通信を受信するために提供される。ブロック２０２において、複数ｍの周波数領域の使用可能トーンで送信されたデータパケット通信信号は、受信される。ブロック２０４において、バイナリの最大長のシフトレジスタ・シーケンス（Ｍ−シーケンス）を備える周波数領域のバイナリの擬似ノイズ（ＰＮ）シーケンスａi，ｉ＝０，１，…，ｍ−１は、アクセスされる。Ｍ−シーケンスのメンバーは｛０，１｝から±１へマップされる。ブロック２０６において、時間領域のシーケンス・スペクトルの総数ｋのファミリーは、複数ｍの周波数領域の使用可能連続トーン内の周波数領域のバイナリのＰＮシーケンスを循環的にシフトすることによって生成される。ブロック２０８において、受信されたデータパケット通信シーケンスのシーケンス・スペクトルの数列ｐ＝１,２，…，ｋは、時間領域のＰＮシーケンスのファミリーを用いて復調され、ここで受信されたデータパケット通信信号のトーンは、変調コードａmod（i+Δ(p-1),m）によって変調される。ブロック２１０において、周波数ステップΔは、周波数取得不明確性を避けるために選択された。ブロック２１２において、周波数領域のＰＮシーケンスのファミリーは、低い時間領域のピーク対平均（ＰＡＲ）比率を提供し、各ＰＮシーケンスは、例えばゼロのアウト・オブ・フェーズの相関のような完全な自己相関を提供し、任意のＰＮシーケンスのペアは、実質的に完全な相互相関を持ち、そして周波数領域におけるシーケンス相関は、加算のみ又は加算及び減算のみのオペレーションを用いて達成した。
【００３１】
図４において、オペレーション２５０の方法論及びシーケンスは、周波数領域ベースの擬似ノイズ（ＰＮ）シーケンスに基づく時間領域のＰＮシーケンスのファミリーを使用して、ワイヤレス通信を送信するために提供される。ブロック２５２では、バイナリの最大長のシフトレジスタ・シーケンス（Ｍ−シーケンス）を備える周波数領域のバイナリの擬似ノイズシーケンスａi，ｉ＝０，１，…，ｍ−１は、アクセスされる。Ｍ−シーケンスのメンバーは｛０，１｝から±１へマップされる。ブロック２５４において、時間領域のシーケンス・スペクトルの総数ｋのファミリーは、複数ｍの周波数領域の使用可能連続トーン内の周波数領域のバイナリのＰＮシーケンスを循環的にシフトすることによって生成される。ブロック２５６において、データパケット通信は、時間領域のＰＮシーケンスのファミリーを用いて、データパケット通信シーケンスのシーケンス・スペクトルの数列ｐ＝１,２，…，ｋについての変調コードａmod（i+Δ(p-1),m）を用いて変調される。ブロック２５８において、データパケット通信信号は、複数ｍの周波数領域の使用可能トーンで送信される。ブロック２６０において、周波数ステップΔは、周波数取得不明確性を避けるために選択される。ブロック２６２において、周波数領域のＰＮシーケンスのファミリーは、低い時間領域のピーク対平均（ＰＡＲ）比率を提供し、各ＰＮシーケンスは、例えばゼロのアウト・オブ・フェーズの相関のような完全な自己相関を提供し、任意のＰＮシーケンスのペアは、実質的に完全な相互相関を持ち、そして周波数領域におけるシーケンス相関は、加算のみ又は加算及び減算のみのオペレーションを用いて達成した。
【００３２】
ある局面において、送信信号が、サイクリックプレフィックス挿入、ウインドウイング、などによってフォローされるＮ−ポイント・ＩＦＦＴによって生成されることが、仮定される。さらに、取得スロットでは、取得シーケンスに対して使用可能なｍ，ｍ＜Ｎの連続するトーンを持ち、ここでlについて、ｍ＝２l−１である（ｍ，Ｎ，ｌは整数）ことが、仮定される。トーンの余剰は、ＦＤＭデータのために使用されることができ、又は、ゼロにセットされることができる。また、ｍ＝２（２l−１）トーンを要求することができるシーケンスの反復を使用することができ、すべての他のトーンがただ使用されるだろう。たとえ以下の議論がシーケンス反復でない及びデータＦＤＭでない場合で主に記述されても、主題の技術革新がそのように限定されず、他の局面が主題の技術革新の範囲内に適切であることは、認識されるべきである。
【００３３】
さらなる局面によれば、周波数領域のＰＮシーケンスは以下のように記述されることができる:ａi，ｉ＝０，１，…，ｍ−１をバイナリのＰＮのシーケンスとし、その要素は、（｛０，１｝から）＋／−１へマップされる。ｍの使用可能な連続するトーンは、第１のシーケンス・スペクトルを得るために、ａiの連続する要素を用いて変調される。総数ｋのシーケンス・スペクトルは、生成され、そのそれぞれは、ｍの使用可能トーン内の第１のスペクトルを循環的にシフトすることによって得られる。したがって、ｐthのシーケンス・スペクトルは、第１のシーケンス・スペクトルと同じトーンのセットを使用し、トーンは、ａmod（i+Δ(p-1),m）によって変調される。ここで、ｐは、シーケンス・インデックス，ｐ＝１，２，…，ｋであり、Δは適切に選択された周波数インクリメントである。典型的には、Δは周波数取得不明確性の問題を避けるために十分に大きくあるべきである。一定のステップサイズΔが必要ではないことは認識されるだろう。特に、ｋが等しくｍに分かれない場合には、一定のΔを持つことは、可能でない−しかし、そのことは実質的な問題にならない。
【００３４】
ｋの時間領域のシーケンスは、サイクリックプレフィックス挿入、ウインドウイング、補間などによってフォローされる、ｋの周波数領域のシーケンス・スペクトルのそれぞれのＩＦＦＴを得ることによって達成されることができる。シーケンスの相関を計算する場合、次の同一性は使用されることができる:
【数１】
2012501600.tif 000003
【００３５】
ここで、ｓi及びｒiは、長さｍの任意の時間領域のシーケンスであり、Ｓ＝ＦＦＴ｛ｓ｝、Ｒ＝ＦＦＴ｛ｒ｝、及びｆ（ｔ）｜dは、ｔ＝ｄで関数ｆ（ｔ）を評価することを表す。
【００３６】
言い換えるなら、時間領域の畳み込み（又は相関）はスペクトル（又は結合のスペクトル）との周波数領域の乗算と等価であるという事実を活用できる。これは、たとえＦＦＴとＩＦＦＴの役割が変更されても、保持される。（一般に、小文字の字体は、時間領域の変数を示すことができ、大文字の字体は、周波数領域の変数を示すことができる）
時間領域のピーク対平均
同様に、時間領域のピーク対平均について、周波数領域のＰＮシーケンスｓiに対する時間領域のエンベロープは、以下のような式（１）によって決定されることができる。
【数２】
2012501600.tif 000004
【００３７】
したがって、
【数３】
2012501600.tif 000005
【００３８】
を得ることができる。
【００３９】
示されるように、時間領域の信号は、ｉ＝０でディップを除き、ＰＡＲにおいて無視できる上昇を与える一定のエンベロープを持つ。さらに、続く時間領域の補間(パルス形成)は、また、ＰＡＲを増加させることができるが、いくらかの著しい増加は起こりそうもない。短いシーケンス長のため、０．１％又は０．０１％のＣＤＦポイントを見つけることなどのような統計的方法が、意味なく又は低い重要性となることは、認識されるだろう。同じ理由で、同じ長さの異なる周波数領域のＰＮシーケンス（異なる生成多項式に対応する）が、時間領域においてわずかに異なるＰＡＲを生じることができることはあり得る。
【００４０】
自己相関
同様に、式（１）の使用によって、
【数４】
2012501600.tif 000006
【００４１】
を得ることができる。
【００４２】
したがって
【数５】
2012501600.tif 000007
【００４３】
を得ることができ、よって、シーケンスは、完全な自己相関を実証する。
【００４４】
相互相関
それゆえに、そのような完全な自己相関のために、ｓiのｍ循環シフトは、十分な直交基底にわたる。したがって、任意の他のシーケンスｒiの任意の循環シフトは、ｓiのすべてのシフトに同時に直交することはできない。特に、正確に、ｓiの循環シフトが直交基底であるために、以下の同一性が保持する:
【数６】
2012501600.tif 000008
【００４５】
言い換えるなら、ｒiを持つ全ての絶対二乗相関値の合計は、ｒiの時間サンプルの絶対二乗値の合計と等しいだろう：次に、すべての相関絶対値が等しかった場合、完全な相互相関が得られることができ、それはｓi及びｒiの時間シフトの間の最大限可能な最小距離を生じる。２つの周波数領域のＰＮシーケンスｓi及びｒiの時間領域の相互相関を決定することができ、第２のシーケンスは第１のシーケンスの周波数領域の循環シフトによって生成される。次に、式（１）は、次式を得るために使用されることができる:
【数７】
2012501600.tif 000009
【００４６】
２つのスペクトルＳ及びＲがＰＮシーケンスであるため、それらの要素は実数であり、それらの要素方法生産物は、同じＰＮシーケンスのただの他のシフトである。したがって、相互相関の大きさは、ＰＡＲが上述された時間領域のピーク対平均において決定された方法と非常に類似に決定されることができる。
【００４７】
したがって、
【数８】
2012501600.tif 000010
【００４８】
を得ることができる。
【００４９】
言い換えれば、シーケンスは、実質的に完全な相互相関を実証することができる。さらに、時間オフセットｄ＝０でディップが存在する事実は実際の問題を意味しない。そのため、取得信号について、主題の技術革新の局面は、ゼロ及び非ゼロの周波数オフセットに関して自己相関／相互相関の双方を維持する間、実質的に低いピーク対平均比率を持つ基底シーケンスの実質的に大きな（シーケンス長との関係で）セットを供給する。
【００５０】
図２に例示されるように、ＰＮシーケンスは、基地局と端末の間の信号の送信に関係することができる。基地局は、端末と通信するために使用される固定局であり、アクセスポイント、ノードＢ、又はいずれかの他の用語で呼ばれてもよい。端末１２０は、典型的には、システムにわたって分散され、各端末はそれぞれ固定されてもよく、モバイルでもよい。端末は、また、移動局、ユーザ機器（ＵＥ）、ワイヤレス通信装置、又はいずれかの他の用語で呼ばれてもよい。各端末は、任意の与えられた時間、フォワード及びリバースリンク上の１又はできる限り複数の基地局と通信するとしてもよい。システム・コントローラ１３０は、基地局１１０に対する調整及び制御を提供し、さらに、これらの基地局によって扱われる端末に対するデータのルーティングを制御する。
【００５１】
各基地局１１０は、それぞれの地理的エリアに対する通信カバレッジを提供する。基地局及び／又はそのカバレッジエリアは、用語が使用される事情に依存し、「セル」と呼ばれてもよい。キャパシティを増加させるために、各基地局のカバレッジエリアは、複数(例えば３)のセクタへ分割されるとしてもよい。各セクターは、ベース・トランシーバ・サブシステム（ＢＴＳ）によって取り扱われる。セクタにされたセルについて、そのセルのための基地局は、典型的には、そのセルのすべてのセクタのためのＢＴＳを含む。単純性のために、以下の記述では、用語「基地局」は、一般的に、セルを取り扱う固定局とセクタを取り扱う固定局との双方に使用される。用語「ユーザ」及び「端末」は、また、ここで、交換可能に使用される。
【００５２】
関連する局面において、図５は、基地局１１０ｘ及び端末１２０ｘのブロック図を示し、これらは図３の基地局及び端末のうちの1つである。フォワードリンクについて、基地局１１０ｘでは、送信（ＴＸ）データ・プロセッサ３１０は、すべての端末に対するトラフィックデータを受信し、その端末に対して選択されたコーディング及び変調スキームに基づいて各端末に対するトラフィックデータを処理し（例えば、エンコード、インタリーブ、及びシンボルマップ）、各端末に対して、データシンボルを提供する。変調器３２０は、すべての端末に対するデータシンボル、パイロットシンボル、すべての端末に対するシグナリングを（例えば、コントローラ３４０から）受信し、後述されるようなデータの各タイプに対する変調を実行し、出力チップのストリームを提供する。トランスミッタ部（ＴＭＴＲ）３２２は、アンテナ３２４から送信される変調された信号を生成するために、出力チップストリームを処理する（例えば、アナログへの変換、フィルタ、増幅、及び周波数アップコンバートする）。
【００５３】
端末１２０ｘでは、基地局１１０ｘ及び可能な限り他の基地局によって送信された変調信号は、アンテナ３５２によって受信される。レシーバ部（ＲＣＶＲ）３５４は、アンテナ３５２からの受信信号を処理し(例えば、調整及びデジタル化する)、受信サンプルを提供する。復調器（Ｄｅｍｏｄ）３６０は、受信サンプルを処理し(例えば、復調及び検出する)、端末１２０ｘに対する検知されたデータシンボルを提供する。各検出されたデータシンボルは、端末１２０ｘに、基地局１１０ｘによって送信されたデータシンボルのノイズ推定である。受信（ＲＸ）データ・プロセッサ３６２は、検出されたデータシンボルを処理し(例えば、シンボルのデマップ、逆インタリーブ、デコードする)、デコードされたデータを提供する。
【００５４】
リバースリンクについて、端末１２０ｘでは、トラフィックデータは、データシンボルを生成するために、ＴＸデータ・プロセッサ３６８によって処理される。変調器３７０は、リバースリンクのために、端末１２０ｘからのデータシンボル、パイロットシンボル、及びシグナリングを処理し、出力チップストリームを提供し、これはさらにトランスミッタ部３７２によって調整され、アンテナ３５２から送信される。基地局１１０ｘでは、端末１２０及び他の端末によって送信された変調された信号は、アンテナ３２４によって受信され、レシーバ部３２８によって調整及びデジタル化され、各端末によって送信されたデータシンボル及びシグナリングを検出するために復調器３３０によって処理される。ＲＸデータ・プロセッサ３３２は、各端末に対する検出されたデータシンボルを処理し、端末に対するデコードされたデータを提供する。コントローラ３４０は、検出されたシグナリングデータを受信し、フォワード及びリバースリンク上のデータ送信を制御する。コントローラ３４０及び３８０は、それぞれ基地局１１０ｘ及び端末１２０ｘでオペレーションを管理する。メモリ部３４２及び３８２は、それぞれコントローラ３４０及び３８０によって使用されるプログラムコード及びデータを記憶する。
【００５５】
図６は、図５の変調器３２０又は３７０に対して使用されるとしてもよい、変調器３７０ａのブロック図を例示する。変調器３７０ａは、（１）ＴＤＭ又はＦＤＭの手法でデータ及びパイロットシンボルを送ることができるデータ／パイロット変換器４１０、（２）Ｎ個の使用可能サブバンドのサブセットのすべてについてアンダーレイとしてシグナリングを送ることができるマルチキャリア・シグナリング変調器４３０、及び（３）時間領域の混合を実行する混合器４６０を含む。
【００５６】
データ/パイロット変調器４１０内で、マルチプレクサ(Ｍｕｘ)４１４は、データシンボルとパイロットシンボルとを受け取り、多重化する。各ＯＦＤＭシンボル期間について、シンボル対サブバンド・マッパは、そのシンボル期間において、データ及びパイロットの送信に対して割り当てられたサブバンドに対して、多重化されたデータ及びパイロットシンボルをマップする。マッパ４１６は、また、送信に使用されない各サブバンドに対してゼロの信号値を提供する。各シンボル期間について、マッパ４１６は、Ｎ個の総サブバンドに対してＮ個の送信シンボルを提供し、各送信シンボルはデータシンボル、パイロットシンボル、又はゼロの信号値としてもよい。各シンボル期間について、逆高速フーリエ変換（ＩＦＦＴ）部４１８は、Ｎ−ポイント・ＩＦＦＴを用いて、Ｎ個の送信シンボルを、時間領域に変換し、Ｎ個の時間領域のチップを含む変換されたシンボルを提供する。各チップは、１つのチップ時期に送信される複雑な値である。パラレル−対−シリアル（Ｐ／Ｓ）変換器４２０は、Ｎ個の時間領域のチップをシリアル化する。循環・プレフィックス・ジェネレータ４２２は、Ｎ＋Ｃのチップを含むＯＦＤＭシンボルを形成するために、各変換されたシンボルの部分を繰り返し、Ｃは繰り返されるチップの数である。繰り返される部分は、しばしば、循環プレフィックスと呼ばれ、周波数の選択的なフェージングによって引き起こされるシンボル間干渉（ＩＳＩ）と格闘するために使用される。ＯＦＤＭシンボル期間は、あるＯＦＤＭシンボルの存続期間に対応し、それはＮ＋Ｃのチップ期間である。循環・プレフィックス・ジェネレータ４２２は、データ／パイロットチップのストリームを提供する。ＩＦＦＴ部４１８は、Ｐ／Ｓ変換器４２０、循環・プレフィックス・ジェネレータ４２２は、ＯＦＤＭ変調器を形成する。
【００５７】
シグナリング変調器４３０内で、乗算器４３２は、ＰＮジェネレータ４３４から、シグナリングデータとＰＮシーケンスとを受け取り、掛け算を行い、拡散シグナリングデータを提供する。各端末のシグナリングデータは、端末に割り当てられたＰＮシーケンス用いて拡散される。シンボル−対−サブバンド・マッパ４３６は、拡散シグナリングデータを、シグナリング送信のために使用されるサブバンドにマップし、サブバンドはＮ個の使用可能サブバンドのすべて又はサブセットとしてもよい。ＩＦＦＴ部４３８、Ｐ／Ｓ変換器４４０、及び循環・プレフィックス・ジェネレータ４４は、マップされ拡散されたシグナリングデータにＯＦＤＭ変調を実行し、シグナリングチップのストリームを提供する。
【００５８】
混合器４６０内で、乗算器４６２ａは、変調器４１０からのデータ／パイロットチップとＧdataのゲインとを掛け算する。乗算器４６２ｂは、変調器４３０からのシグナリングチップとＧsignalのゲインとを掛け算する。ゲインＧdata及びＧsignalは、トラフィックデータおよびシグナリングに使用する送信パワーの量をそれぞれ決定し、両方のためのよいパフォーマンスを達成するために設定されるとしてもよい。加算器４６４は、乗算器４６２ａ及び４６２ｂからの調整されたチップを合計し、変調器３７０ａに対する出力チップを提供する。
【００５９】
図７は、また、図５の変調器３２０又は３７０のために使用されるとしてもよい、変調器３７０ｂのブロック図を例示する。変調器３７０ｂは、（１）データ送信で使用されるサブバンドにデータシンボルを送ることができるデータ変調器５１０、（２）Ｎ個の使用可能サブバンドのサブセットのすべてについてアンダーレイとしてパイロットシンボルを送ることができるパイロット変調器５３０、（３）すべてのＮ個の使用可能サブバンドについてアンダーレイとしてシグナリングを送ることができるシングルキャリア・シグナリング変調器５５０、及び（４）時間領域の混合を実行する混合器５６０を含む。
【００６０】
データ変調器５１０は、図６に、それぞれ、ユニット４１６，４１８，４２０及び４２２に対して上述された手法で動作する、シンボル−対−サブバンド・マッパ５１６、ＩＦＦＴ部５１８、Ｐ／Ｓ変換器５２０、及び循環・プレフィックス・ジェネレータ５２２を含む。データ変調部５１０は、データシンボルにＯＦＤＭ変調を実行し、データチップを提供する。パイロット変調器５３０は、図６に、それぞれユニット４３２，４３４，４３６，４３８，４４０及び４４２に対して上述された手法で動作する、乗算器５３２、ＰＮジェネレータ５３４、シンボル−対−サブバンド・マッパ５３６、ＩＦＦＴユニット５３８、Ｐ／Ｓ変換器５４０、及び循環・プレフィックス・ジェネレータ５４２を含む。しかしながら、パイロット変調器５３０は、シグナリングデータに代えてパイロットデータに動作する。パイロット変調器５３０は、ＰＮシーケンスを用いてパイロットシンボルを拡散し、拡散されたパイロットシンボルを、パイロット送信のために使用されるサブバンド及びシンボル期間にマップし、パイロットチップを生成するために、マップされ及び拡散されたパイロットシンボルにＯＦＤＭ変調を実行する。異なるＰＮコードは、パイロット及びシグナリングのために使用されるとしてもよい。パイロットシンボルは、パイロットに対する適当なＰＮコードを選択することによって、周波数、時間、又は双方に関して拡散されるとしてもよい。例えば、パイロットシンボルは、Ｓ−チップのＰＮシーケンスを用いて乗算することによって、あるシンボル期間におけるＳ個のサブバンドにわたって拡散されるとしてもよく、Ｒ−チップのＰＮシーケンスと乗算することによって、あるサブバンド上のＲ個のシンボル期間にわたって拡散されるとしてもよく、Ｓ×Ｒ−チップのＰＮシーケンスを用いて乗算することによって、あるホップ期間のすべてのＳ個のサブバンド及びＲ個のシンボル期間にわたって拡散されるとしてもよい。
【００６１】
シグナリング変調器５５０は、図６に、それぞれ、ユニット４３２及び４３４に対して上述された手法で動作する、乗算器５５２及びＰＮジェネレータ５５４を含む。シグナリング変調器５５０は、時間領域におけるすべてのＮ個の使用可能サブバンドにわたってシグナリングデータを拡散し、シグナリングチップを提供する。シグナリング変調器５５０は、ＩＳ−９５及びＩＳ−２０００  ＣＤＭＡシステムでリバースリンクのために実行される手法と類似な手法において、拡散を実行する。
【００６２】
混合器５６０内で、乗算器５６２ａ，５６２ｂ，及び５６２ｃは、それぞれ変調器５１０，５３０，及び５５０からのチップと、それぞれＧdata，Ｇpilot，及びＧsignalのゲインとを掛け算し、Ｇdata，Ｇpilot，及びＧsignalのゲインは、それぞれ、トラフィックデータ、パイロット、及びシグナリングに使用される送信パワーの量を決定する。加算器５６４は、乗算器５６２ａ，５６２ｂ，及び５６２ｃからの調整されたチップを合計し、変調器５５０ｂに対する出力チップを提供する。
【００６３】
図８は、また、図５の変調器３２０又は３７０のために使用されるとしてもよい、変調器３７０ｃのブロック図を例示する。変調器３７０ｃは、（１）データ送信で使用されるサブバンドにデータシンボルをマップするデータ変調器６１０、（２）パイロット送信で使用されるサブバンドにパイロットシンボルをマップするパイロット変調器６２０、（３）マルチキャリア・シグナリング変調器６３０、（４）周波数領域の混合を実行する混合器６６０、（５）ＯＦＤＭ変調器６７０、を含む。
【００６４】
データ変調器６１０内において、乗算器６１４は、データシンボルを受け取り、Ｇdataを用いてデータシンボルを調整し、調整されたデータシンボルを提供する。次に、シンボル−対−サブバンド・マッパ６１６は、調整されたデータシンボルを、データ送信に使用されるサブバンドに対してマップする。パイロット変調器６２０内において、乗算器６２４は、パイロットシンボルを受け取り、Ｇpilotを用いてパイロットシンボルを調整し、調整されたパイロットシンボルを提供する。次に、シンボル−対−サブバンド・マッパ６２６は、調整されたパイロットシンボルを、パイロット送信に使用されるサブバンドに対してマップする。シグナリング変調器６３０内において、乗算器６３２は、ＰＮジェネレータ６３４によって生成されたＰＮシーケンスを用いて、シグナリング送信に使用されるサブバンドにわたってシグナリングデータを拡散する。乗算器６３５は、Ｇsignalのゲインを用いて拡散されたシグナリングデータを調整し、調整され及び拡散されたシグナリングデータを提供する。次に、調整され及び拡散されたシグナリングデータは、シンボル−対−サブバンド・マッパ６３６によってシグナリング送信に使用されるサブバンドに対してマップされる。混合器６６０は、Ｎ個の総サブバンドに対するＮ個の加算器６６２ａ〜６６２ｎを含む。各シンボル期間について、各加算器６６２は、関連するサブバンドに対する、調整されたデータ、パイロット、及びシグナリングシンボルを合計し、混合されたシンボルを提供する。ＯＦＤＭ変調器６７０は、図６に、それぞれ、ユニット４１８，４２０，及び４２２に対して上述された手法で動作する、ＩＦＦＴユニット６７２、Ｐ／Ｓ変換器６７４、及び循環・プレフィックス・ジェネレータ６７６を含む。ＯＦＤＭ変調器６７０は、混合器６６０からの混合されたシンボルにＯＦＤＭ変調を実行し、変調器３７０ｃに対する出力チップを提供する。図８に例示されるように、乗算器６３２の出力は、マルチプレクサ６１４の他の出力のために提供されるとしてもよい。次に、マッパ６１６は、データシンボル、パイロットシンボル、及び拡散されたシグナリングデータを、それぞれトラフィックデータ、パイロット、及びシグナリングのために設計される適切なサブバンドに対してマップされるとしてもよい。
【００６５】
図９は、図３の復調器３３０又は３６０に使用されるとしてもよい、復調器３３０ａのブロック図を示す。復調器３３０ａは、図６の変調器３７０ａによって実行される処理に対する相補的な処理を実行する。より簡単に説明される場合、復調器３３０ａは、ＯＦＤＭ復調器３１０、データ復調器３２０、及びマルチキャリア・シグナリング復調器３４０を含むことができる。
【００６６】
ＯＦＤＭ復調器７１０内で、循環・プレフィックス・除去部７１２は、各ＯＦＤＭシンボル期間に対してＮ＋Ｃ個の受信されたサンプルを取得し、循環プレフィックスを除去し、受信された変換されたシンボルに対するＮ個の受信されたサンプルを提供する。シリアル−対−パラレル（Ｓ／Ｐ）変換器７１４は、パラレル形式のＮ個の受信されたサンプルを提供する。ＦＦＴ部７１６は、Ｎ−ポイントＦＦＴを用いてＮ個の受信されたサンプルを、周波数領域へ変換し、Ｎ個の総サブバンドに対するＮ個の受信されたシンボルを提供する。シグナリング復調器７４０内で、シンボル−対−サブバンド・デマッパ７４２は、ＯＦＤＭ復調器７１０から、すべてのＮ個の総サブバンドに対する受信されたシンボルを取得し、シグナリング送信に使用されたサブバンドに対する受信されたシンボルのみを通過する。乗算器７４４は、デマッパ７４２からの受信されたシンボルと、ＰＮジェネレータ７４６によって生成されシグナリングに使用されるＰＮシーケンスとを掛け算する。アキュムレータ７４８は、ＰＮシーケンスの長さに関して乗算器７４４の出力を蓄積し、検出されたシグナリングデータを提供する。
【００６７】
データ復調器７２０内で、シンボル−対−サブバンド・デマッパ７２２は、トラフィックデータ及びパイロットに使用されたサブバンドに対する受信されたシンボルのみを通過する。デマルチプレクサ（Ｄｅｍｕｘ）７２４は、チャネル推定器７３０に、受信されたパイロットシンボルを提供し、加算器７３４に、受信されたデータシンボルを提供する。チャネル推定器７３０は、受信されたパイロットシンボルを処理し、トラフィックデータにしようされたサブバンドに対するチャネル推定Ｈ^dataと、シグナリングに使用されたサブバンドに対するチャネル推定Ｈ^signalとを導出する。干渉推定器７３６は、検出されたシグナリングデータ及びＨ^signalのチャネル推定を受け取り、検出されたシグナリングデータのために干渉を推定し、干渉推定を加算器７３４に提供する。加算器７３４は、受信されたデータシンボルから干渉推定を引き算し、干渉−キャンセル・シンボルを提供する。干渉推定及びキャンセルは、例えば、もしＨ^signalのチャネル推定が利用できない場合には、省略されてもよい。データ検出器７３８は、Ｈ^dataのチャネル推定を用いて干渉キャンセルされたシンボルにデータ検出（例えば、整合されるフィルタリング、等化など）を実行し、検出されたデータシンボルを提供する。
【００６８】
図１０は、また、図５の復調器３３０又は３６０に使用されるとしてもよい、復調器３３０ｂのブロック図を例示する。復調器３３０ｂは、図５の復調器３７０ｂによって実行される処理に対する相補的な処理を実行する。復調器３３０ｂは、図９のＯＦＤＭ復調器７１０、データ復調器８２０、及びシグナリング復調器８４０を含む。
【００６９】
シグナリング復調器８４０内で、乗算器８４４は、データサンプルと、ＰＮジェネレータによって生成され、シグナリングに使用されるＰＮシーケンスとを掛け算する。アキュムレータ８４８は、ＰＮシーケンスの長さに関して乗算器８４４の出力を蓄積し、検出されたシグナリングデータを提供する。データ復調器８２０内で、シンボル−対−サブバンド・デマッパ８２２は、ＯＦＤＭ変調器７１０からのすべてのＮ個の総サブバンドに対する受信されたシンボルを取得し、パイロット送信に使用されたサブバンドに対する受信されたパイロットシンボルのみを通過する。乗算器８２４及びアキュムレータ８２８は、ＰＮジェネレータ８２６によって生成され、パイロットに使用されるＰＮシーケンスを用いて、受信されたパイロットシンボルについて拡散の逆を実行する。パイロットの逆拡散は、パイロット拡散に対する相補的な手法で実行される。チャネル推定器８３０は、逆拡散されたパイロットシンボルを処理し、トラフィックデータに使用されたサブバンドに対するＨ^dataのチャネル推定、及びシグナリングに使用されたサブバンドに対するＨ^signalのチャネル推定を導出する
シンボル−対−サブバンド・デマッパ８３２は、また、すべてのＮ個の総サブバンドに対する受信されたシンボルを取得し、トラフィックデータに使用されたサブバンドに対する受信されたデータシンボルのみを通過する。干渉推定器８３６は、検出されたシグナリングによる干渉を推定し、加算器８３４に干渉推定を提供する。加算器８３４は、受信されたデータシンボルから干渉推定を引き算し、干渉−キャンセルされたシンボルを提供する。データ検出器８３８は、Ｈ^dataのチャネル推定を用いて干渉−キャンセルされたシンボルについてデータ検出を実行し、検出されたデータシンボルを提供する。他の設計がまた復調器に使用されてもよく、発明の範囲内でよいことは、認識されるだろう。一般に、ある実体での復調器による処理は、他の実体での変調器による処理によって決定され、相補的である。
【００７０】
図１１において、システム１１００は、周波数領域ベースの擬似ノイズ（ＰＮ）シーケンスに基づく時間領域のＰＮシーケンスのファミリーを使用するワイヤレス通信を受信することについて描画されている。例えば、システム１１００は、少なくとも部分的に、ユーザ機器（ＵＥ）内に属することができる。システム１１００は、プロセッサ、ソフトウェア、又はそれらの組み合わせ（例えば、ファームウェア）によって実行される機能を表す機能ブロックであるとすることができる、機能ブロックを含むように表されていることは、認識されるだろう。システム１１００は、連結して行動可能な電気的コンポーネントの論理グルーピング１１０２を含む。例えば、論理グルーピング１１０２は、複数ｍの周波数領域の使用可能トーンで送信されたデータパケット通信信号を受信するための電気的コンポーネント１１０４を含むことができる。さらに、論理グルーピング１１０２は、バイナリの最大長のシフトレジスタ・シーケンス（ｍ−シーケンス）を備える周波数領域のバイナリの擬似ノイズ（ＰＮ）シーケンスａi，ｉ＝０，１，…，ｍ−１をアクセスするための電気的コンポーネント１１０６を含むことができる。Ｍ−シーケンスのメンバーは｛０，１｝から±１へマップされる。さらに、論理グルーピング１１０２は、複数ｍの周波数領域の使用可能連続トーン内の周波数領域のバイナリのＰＮシーケンスを循環的にシフトすることによって、総数ｋの時間領域のシーケンス・スペクトルのファミリーを生成するための電気的コンポーネント１１０８を含むことができる。加えて、論理グルーピング１１０２は、時間領域のＰＮシーケンスのファミリーを用いて、受信されたデータパケット通信シーケンスのシーケンス・スペクトルの数列ｐ＝１,２，…，ｋを復調するための電気的コンポーネント１１１０を含むことができる。受信されたデータパケット通信信号のトーンは、変調コードａmod（i+Δ(p-1),m）によって変調される。加えて、システム１１００は、電気的コンポーネント１１０４，１１０６，１１０８及び１１１０に関連する機能を実行するための命令を保持するメモリ１１１２を含むことができる。メモリ１１１２の外部に存在するように図示されてはいるが、電気的コンポーネント１１０４，１１０６，１１０８，及び１１１０のうちの１以上は、メモリ１１１２の内部に存在することができることは、認識されるだろう。周波数ステップΔは、周波数取得不明確性を避けるために選択される。周波数領域のＰＮシーケンスのファミリーは、低い時間領域のピーク対平均（ＰＡＲ）比率を提供し、各ＰＮシーケンスは、例えばゼロのアウト・オブ・フェーズの相関のような完全な自己相関を提供し、任意のＰＮシーケンスのペアは、実質的に完全な相互相関を持つ。そして周波数領域におけるシーケンス相関は、加算のみ又は加算及び減算のみのオペレーションを用いて達成した。
【００７１】
図１２において、システム１２００は、周波数領域ベースの擬似ノイズ（ＰＮ）シーケンスに基づく時間領域のＰＮシーケンスのファミリーを使用するワイヤレス通信を送信することについて描画されている。例えば、システム１２００は、少なくとも部分的に、ベースノードのようなネットワーク実体に属することができる。システム１２００は、プロセッサ、ソフトウェア、又はそれらの組み合わせ（例えば、ファームウェア）によって実行される機能を表す機能ブロックであるとすることができ、機能ブロックを含むように表されていることは認識されるだろう。システム１２００は、連結して行動可能な電気的コンポーネントの論理グルーピング１２０２を含む。例えば、論理グルーピング１２０２は、バイナリの最大長のシフトレジスタ・シーケンス（Ｍ−シーケンス）を備える周波数領域のバイナリの擬似ノイズ（ＰＮ）シーケンスａi，ｉ＝０，１，…，ｍ−１をアクセスするための電気的コンポーネント１２０４を含むことができる。Ｍ−シーケンスのメンバーは｛０，１｝から±１へマップされる。さらに、論理グルーピング１２０２は、複数ｍの周波数領域の使用可能連続トーン内の周波数領域のバイナリのＰＮシーケンスを循環的にシフトすることによって、総数ｋの時間領域のシーケンス・スペクトルのファミリーを生成するための電気的コンポーネント１２０６を含むことができる。さらに、論理グルーピング１２０２は、時間領域のＰＮシーケンスのファミリーを用いて、データパケット通信シーケンスのシーケンス・スペクトルの数列ｐ＝１,２，…，ｋについての変調コードａmod（i+Δ(p-1),m）を用いてデータパケット通信を変調するための電気的コンポーネント１２０８を含むことができる。加えて、論理グルーピング１２０２は、複数ｍの周波数領域の使用可能トーンで送信される変調されたデータパケット通信信号を送信するための電気的コンポーネント１２１０を含むことができる。加えて、システム１２００は、電気的コンポーネント１２０４，１２０６，１２０８及び１２１０に関連する機能を実行するための命令を保持するメモリ１２１２を含むことができる。メモリ１２１２の外部に存在するように図示されてはいるが、電気的コンポーネント１２０４，１２０６，１２０８，及び１２１０のうちの１以上は、メモリ１２１２の内部に存在することができることは、認識されるだろう。周波数ステップΔは、周波数取得不明確性を避けるために選択される。周波数領域のＰＮシーケンスのファミリーは、低い時間領域のピーク対平均（ＰＡＲ）比率を提供し、各ＰＮシーケンスは、例えばゼロのアウト・オブ・フェーズの相関のような完全な自己相関を提供し、任意のＰＮシーケンスのペアは、実質的に完全な相互相関を持つ。そして周波数領域におけるシーケンス相関は、加算のみ又は加算及び減算のみのオペレーションを用いて達成した。
【００７２】
図１３において、装置１３００は、周波数領域ベースの擬似ノイズ（ＰＮ）シーケンスに基づく時間領域のＰＮシーケンスのファミリーを使用するワイヤレス通信を受信することについて描画されている。例えば、装置１３００は、少なくとも部分的に、ユーザ機器（ＵＥ）に属することができる。例えば、装置１３００は、複数ｍの周波数領域の使用可能トーンで送信されたデータパケット通信信号を受信するための手段１３０４を含むことができる。さらに、装置１３００は、バイナリの最大長のシフトレジスタ・シーケンス（ｍ−シーケンス）を備える周波数領域のバイナリの擬似ノイズ（ＰＮ）シーケンスａi，ｉ＝０，１，…，ｍ−１をアクセスするための手段１３０６を含むことができる。Ｍ−シーケンスのメンバーは｛０，１｝から±１へマップされる。さらに、装置１３００は、複数ｍの周波数領域の使用可能連続トーン内の周波数領域のバイナリのＰＮシーケンスを循環的にシフトすることによって、総数ｋの時間領域のシーケンス・スペクトルのファミリーを生成するための手段１３０８を含むことができる。加えて、装置１３００は、時間領域のＰＮシーケンスのファミリーを用いて、受信されたデータパケット通信シーケンスのシーケンス・スペクトルの数列ｐ＝１,２，…，ｋを復調するための手段１３１０を含むことができる。受信されたデータパケット通信信号のトーンは、変調コードａmod（i+Δ(p-1),m）によって変調される。周波数ステップΔは、周波数取得不明確性を避けるために選択される。周波数領域のＰＮシーケンスのファミリーは、低い時間領域のピーク対平均（ＰＡＲ）比率を提供し、各ＰＮシーケンスは、例えばゼロのアウト・オブ・フェーズの相関のような完全な自己相関を提供し、任意のＰＮシーケンスのペアは、実質的に完全な相互相関を持つ。そして周波数領域におけるシーケンス相関は、加算のみ又は加算及び減算のみのオペレーションを用いて達成した。
【００７３】
図１４において、装置１４００は、周波数領域ベースの擬似ノイズ（ＰＮ）シーケンスに基づく時間領域のＰＮシーケンスのファミリーを使用するワイヤレス通信を送信することについて描画されている。例えば、装置１４００は、少なくとも部分的に、ベースノードのようなネットワーク実体に属することができる。例えば、装置１４００は、バイナリの最大長のシフトレジスタ・シーケンス（Ｍ−シーケンス）を備える周波数領域のバイナリの擬似ノイズ（ＰＮ）シーケンスａi，ｉ＝０，１，…，ｍ−１をアクセスするための手段１４０４を含むことができる。Ｍ−シーケンスのメンバーは｛０，１｝から±１へマップされる。さらに、装置１４００は、複数ｍの周波数領域の使用可能連続トーン内の周波数領域のバイナリのＰＮシーケンスを循環的にシフトすることによって、総数ｋの時間領域のシーケンス・スペクトルのファミリーを生成するための手段１４０６を含むことができる。さらに、装置１４００は、時間領域のＰＮシーケンスのファミリーを用いて、データパケット通信シーケンスのシーケンス・スペクトルの数列ｐ＝１,２，…，ｋについての変調コードａmod（i+Δ(p-1),m）を用いてデータパケット通信を変調するための手段１４０８を含むことができる。加えて、装置１４００は、複数ｍの周波数領域の使用可能トーンで送信される変調されたデータパケット通信信号を送信するための手段１４１０を含むことができる。周波数ステップΔは、周波数取得不明確性を避けるために選択される。周波数領域のＰＮシーケンスのファミリーは、低い時間領域のピーク対平均（ＰＡＲ）比率を提供し、各ＰＮシーケンスは、例えばゼロのアウト・オブ・フェーズの相関のような完全な自己相関を提供し、任意のＰＮシーケンスのペアは、実質的に完全な相互相関を持つ。そして周波数領域におけるシーケンス相関は、加算のみ又は加算及び減算のみのオペレーションを用いて達成した。
【００７４】
上述された事項は、１以上の実施形態の例を含む。もちろん、前述の実施形態を説明するためにコンポーネント又は方法論のすべての考えられる組み合わせについて記述することはできないが、当業者は、各種の実施形態の多くのさらなる組み合わせ及び変更が可能であることは、認識できるだろう。したがって、記述された実施形態は、添付された請求項の真意及び範囲以内にあるような変更、修正及び変化をすべて包含するように意図される。さらに、用語「含む」が詳細な説明又は請求項のいずれかで使用される範囲について、そのような用語は、請求項で変化した用語として使用される場合に、「具備する」が解釈されるように、用語「具備する」と類似の様式を含めるように意図される。
【図１】
2012501600.tif 000011
【図２】
2012501600.tif 000012
【図３】
2012501600.tif 000013
【図４】
2012501600.tif 000014
【図５】
2012501600.tif 000015
【図６】
2012501600.tif 000016
【図７】
2012501600.tif 000017
【図８】
2012501600.tif 000018
【図９】
2012501600.tif 000019
【図１０】
2012501600.tif 000020
【図１１】
2012501600.tif 000021
【図１２】
2012501600.tif 000022
【図１３】
2012501600.tif 000023
【図１４】
2012501600.tif 000024
【国際調査報告】
2012501600.tif 000025
2012501600.tif 000026
2012501600.tif 000027